(57)【要約】【課題】ナンバーディスプレイやモデムダイヤルインのときに省電力状態で着信があると、復帰に要する時間が長くなって一次応答タイムアウトを超えてしまい、ナンバーディスプレイの電話番号の取得に間に合わなくなる。【解決手段】通信装置であって、省電力状態のときに呼出信号を受信するとモデムの初期化処理を開始し、そのモデムの初期化処理と並行して、呼出信号が情報受信端末起動信号を含むかどうか判定する処理を実行し、呼出信号が情報受信端末起動信号を含むと判定し、モデムの初期化処理が完了した後、回線捕捉の一次応答を行う。【選択図】  図２
2018098708.tif 000002
【特許請求の範囲】
【請求項１】
通信装置であって、
モデムと、
省電力状態のときに呼出信号を受信すると前記モデムの初期化処理を開始し、当該モデムの初期化処理と並行して、前記呼出信号が情報受信端末起動信号を含むかどうか判定する処理を実行し、
前記呼出信号が前記情報受信端末起動信号を含むと判定し、前記モデムの初期化処理が完了した後、回線捕捉の一次応答を行うように制御する制御手段と、
を有することを特徴とする通信装置。
【請求項２】
前記呼出信号を整形する整形手段を更に有し、前記制御手段は、前記整形手段により整形された呼出信号に基づいて、前記呼出信号が前記情報受信端末起動信号を含むかどうか判定することを特徴とする請求項１に記載の通信装置。
【請求項３】
前記制御手段は、前記整形手段により整形された呼出信号のオンとオフの時間、及び周期に基づいて、前記呼出信号が前記情報受信端末起動信号を含むかどうか判定することを特徴とする請求項２に記載の通信装置。
【請求項４】
前記整形手段により整形された呼出信号に含まれる前記情報受信端末起動信号に応じて前記制御手段により制御され、前記モデムのリセット及びリセットの解除を行う信号受信手段を、更に有することを特徴とする請求項２又は３に記載の通信装置。
【請求項５】
前記省電力状態のときに前記整形手段により整形された呼出信号の変化を検知すると、前記省電力状態でオフされている電源をオンさせる電源制御手段を、更に有することを特徴とする請求項２乃至４のいずれか１項に記載の通信装置。
【請求項６】
ナンバーディスプレイ機能、或いはモデムダイヤルイン機能が有効かどうかを示すモード情報を不揮発に格納する格納手段を、更に有し、
前記制御手段は、前記一次応答の後、受信した番号情報に基づいて、前記格納手段に格納されているモード情報に応じた処理を行うことを特徴とする請求項１乃至５のいずれか１項に記載の通信装置。
【請求項７】
計時手段を、更に有し、
前記呼出信号が前記情報受信端末起動信号を含むと判定し、前記モデムの初期化処理が完了するまでの時間を前記計時手段により計時し、前記計時手段により計時された時間が、前記ナンバーディスプレイ機能、或いは前記モデムダイヤルイン機能で規定された応答時間よりも短いときに、前記回線捕捉の一次応答を行うことを特徴とする請求項６に記載の通信装置。
【請求項８】
モデムを有する通信装置であって、
省電力状態のときに呼出信号を受信すると前記モデムの初期化処理を開始し、
当該モデムの初期化処理と並行して、前記呼出信号が情報受信端末起動信号を含むかどうか判定する処理を実行し、
前記呼出信号が前記情報受信端末起動信号を含むと判定し、前記モデムの初期化処理が完了した後、回線捕捉の一次応答を行うことを特徴とする通信装置の制御方法。
【請求項９】
コンピュータに、請求項８に記載の制御方法の各工程を実行させるためのプログラム。
【発明の詳細な説明】
【技術分野】
【０００１】
本発明は、通信装置とその制御方法、及びプログラムに関するものである。
【背景技術】
【０００２】
近年、プリント、コピー等の機能に加えて、ファクシミリ通信機能を備えた複合機が広く普及している。この複合機はＰＳＴＮ（Ｐｕｂｌｉｃ  Ｓｗｉｔｃｈｅｄ  Ｔｅｌｅｐｈｏｎｅ  Ｎｅｔｗｏｒｋ：公衆電話網）に接続され、着信側の端末へ発呼すると、電話会社の交換機から着信側の端末へ呼出信号が送出される。このとき、この呼出信号を送出する前に、電話会社の交換機から発信側の電話番号を着信側の端末に通知して、着信側端末のユーザが発信側の電話番号を確認してから電話に出ることができるナンバーディスプレイ（登録商標）という機能が提供されている。複合機の中には、この発信側の電話番号を利用して、ファクシミリ受信した画像を他の端末に転送できるものもある。
【０００３】
また１本の電話回線に対して２つの電話番号を割り当てて着信させることができるモデムダイヤルインという機能が提供されている。このモデムダイヤルインでは、着信時に、電話会社の交換機から着信側の電話番号が通知される。これにより、例えば、１本の電話回線を使用して、一方の電話番号をファクシミリ用、他方を電話用として使用でき、また２つの電話番号を共にファクシミリ用として使用することもできる。
【０００４】
またモデムダイヤルイン機能を備え、ＨＤＤ（ハードディスクドライブ）のような二次記憶装置を備えた複合機では、そのＨＤＤに、ファクシミリ受信用として、２つの電話番号のそれぞれに対応付けて保存領域を設定できるものもある。例えば電話番号１へ着信したファクシミリ画像を領域１に保存し、電話番号２への着信したファクシミリ画像を領域２に保存するようにできる。尚、このようなナンバーディスプレイやモデムダイヤルイン機能を使用するには、電話会社との契約が必要になる。
【０００５】
次に、ナンバーディスプレイ時における、着信側の端末と交換機との信号シーケンスを説明する。
【０００６】
まず交換機は、発信者からの発信を受け付けると、着信端末へ情報受信端末起動信号（以後ＣＡＲ信号）を送出し、着信端末はこのＣＡＲ信号を受信すると、この応答信号として一次応答信号（直流ループを形成）を返す。この一次応答信号を受信した交換機は、ＣＡＲ信号の送出を止め、ＩＴＵ−Ｔ Ｖ．２３で規定されるモデム信号により、発信者の電話番号を着信端末に通知する。この電話番号を受信した着信端末は、その応答信号として受信完了信号（直流ループ断）を出力し、これを受けた交換機はその後、通常の呼出信号（以後ＣＩ信号）を送信する。
【０００７】
その後、複合機は交換機に対して二次応答信号（直流ループ形成）を出力し、これを受けた交換機は、端末応答として発信者との回線を接続して通信状態に移行させる。この直流ループ形成は回線捕捉と呼ばれ、また直流ループ断は、回線開放や回線断と呼ばれる。尚、ナンバーディスプレイとモデムダイヤルインで番号情報を通知する信号シーケンスは同等である。
【０００８】
上述の信号シーケンスにおいて、ＣＡＲ信号は、１６Ｈｚ〜２０Ｈｚの交流信号であり、そのケーデンスは、１セット周期が１秒で、信号がオンの時間が０．４〜０．６秒、信号がオフの時間が０．４〜０．６秒と規定されている。またＣＩ信号は、１６Ｈｚ〜２０Ｈｚの交流信号で、そのケーデンスは、１セット周期が３秒で、信号がオンの時間が１秒、信号がオフの時間は２秒と規定されている。また上記交流信号は、直流−４８Ｖに重畳して出力される。
【０００９】
また省電力に対する要望の広まりを受けて、機器が未使用の場合は、できるだけ省電力状態のまま待機させておく必要性が高まってきている。この省電力状態では、例えば複合機では、ファクシミリ制御部や画像処理部への電力供給を停止した状態となるため、電話回線からの着信呼び出し信号を検出すると、それをトリガに省電力状態から復帰して通信回線へ応答する必要がある。このとき、複合機の画像処理部を初期化する必要があるが、省電力からの復帰に多くの時間を要するため、ナンバーディスプレイやモデムダイヤルインへの一次応答に間に合わず番号情報を取得できなくなる可能性がある。
【００１０】
例えば特許文献１には、ファクシミリ通信処理と電話機による通話処理とを自動的に切り替えることができる画像形成装置が記載されている。この画像形成装置は、モデムダイヤルインが有効で、かつ省電力状態のときに着信があり、省電力状態からの復帰に要する時間が一次応答タイムアウト（６秒）を超えてしまう場合は、一時的にモデムダイヤルインを利用しないモードに入って着信している。
【先行技術文献】
【特許文献】
【００１１】
【特許文献１】特開２００５−３５４３７６号公報
【発明の概要】
【発明が解決しようとする課題】
【００１２】
引用文献１では、省電力状態からの復帰に要する時間を短縮することは特に考慮されていない。従って、従来は、ナンバーディスプレイやモデムダイヤルインのときに省電力状態で着信があると、復帰に要する時間が長くなって一次応答タイムアウトを超えてしまうことになる。このような場合は、ナンバーディスプレイの電話番号の取得に間に合わなくなり、せっかく、電話会社とナンバーディスプレイを契約していても、それを有効に利用できない。
【００１３】
本発明の目的は、上記従来技術の課題を解決することにある。
【００１４】
本発明の目的は、省電力状態で呼出信号を受信したとき復帰に要する時間を短縮し、規定時間内に一次応答できる技術を提供することにある。
【課題を解決するための手段】
【００１５】
上記目的を達成するために本発明の一態様に係る通信装置は以下のような構成を備える。即ち、
通信装置であって、
モデムと、
省電力状態のときに呼出信号を受信すると前記モデムの初期化処理を開始し、当該モデムの初期化処理と並行して、前記呼出信号が情報受信端末起動信号を含むかどうか判定する処理を実行し、
前記呼出信号が前記情報受信端末起動信号を含むと判定し、前記モデムの初期化処理が完了した後、回線捕捉の一次応答を行うように制御する制御手段と、を有することを特徴とする。
【発明の効果】
【００１６】
本発明によれば、省電力状態で呼出信号を受信したとき復帰に要する時間を短縮し、規定時間内に一次応答できるという効果がある。
【００１７】
本発明のその他の特徴及び利点は、添付図面を参照とした以下の説明により明らかになるであろう。尚、添付図面においては、同じ若しくは同様の構成には、同じ参照番号を付す。
【図面の簡単な説明】
【００１８】
添付図面は明細書に含まれ、その一部を構成し、本発明の実施形態を示し、その記述と共に本発明の原理を説明するために用いられる。
【図１】本発明の実施形態に係るファクシミリ通信機能を有する複合機（ＭＦＰ）の構成を説明するブロック図。
【図２】実施形態に係る複合機が省電力状態の時にナンバーディスプレイ着信があった際の処理を説明するタイムチャート。
【図３】実施形態に係る複合機のコントローラ部とファクシミリユニット部の構成をより詳細に説明するブロック図。
【図４】実施形態に係る呼出信号や着信端末の起動信号に対するＣＡＲ整形信号を説明する図。
【図５】実施形態に係る呼出信号や着信端末の起動信号に対するＣＡＲ整形信号を説明する図。
【図６】実施形態に係る複合機の画像処理部のＣＰＵと割込み判定部による省電力状態へ移行する際の処理を説明するフローチャート。
【図７】実施形態に係る複合機が省電力状態の時に着信があった場合のＣＰＵと割込み判定部による処理を説明するフローチャート。
【図８】実施形態に係る複合機が省電力状態の時に着信があった場合のＣＰＵと割込み判定部による処理を説明するフローチャート。
【発明を実施するための形態】
【００１９】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００２０】
図１は、本発明の実施形態に係るファクシミリ通信機能を有する複合機（ＭＦＰ）１０１の構成を説明するブロック図である。
【００２１】
複合機１０１は、ファクシミリ通信機能、コピー機能、ＬＡＮ等のネットワークに接続された外部装置からの印刷ジョブを受信して印刷するプリント機能、及びその他の機能を有する。コントローラ部１０２は、この複合機１０１の各部を制御するための制御部であり、複合機１０１の画像処理、データの送受信、データの変換、データの保存、電力制御等を行う。操作部１０３は、ユーザによる各種の操作を受付けるタッチパネル機能を有する操作パネル、及び操作情報を表示するための表示部を備えている。スキャナ部１０４は、原稿の画像をスキャンして読み取り、その読み取りにより得られた画像データをコントローラ部１０２に入力する。またプリンタ部１０５は、コントローラ部１０２で処理された様々な種類の画像データを受取り、それに基づいて画像を印刷する。イーサネット（登録商標）ケーブル１０７は、本実施形態ではＬＡＮに接続されている。ファクシミリユニット部１０８は、電話回線１０６経由でＰＳＴＮ内に存在する交換機（図示せず）に接続されている。またファクシミリユニット部１０８は、交換機ではなく、構内交換機や光ルータのアナログポートに接続されても良い。本実施形態では、外部電話機の動作は重要ではないので説明を省略するが、複合機１０１のファクシミリユニット部１０８に外部電話機を接続し、ファクシミリ送受信機能と電話の通話機能を切り換えて所望の処理を行う構成を採用しても良い。
【００２２】
第一の電源１０９、第二の電源１１０は、電源プラグ１１１から供給される交流の商用電源を、複合機１０１の各部で使用する直流電圧に変換している。ここで、通常動作モードでは、第一の電源１０９、第二の電源１１０からの電源はともに各部に供給されているが、省電力状態では、第二の電源１１０からの電源供給は、コントローラ部１０２から出力される電源制御信号１１２によってオフにされる。これにより省電力状態では、第二の電源１１０からスキャナ部１０４、プリンタ部１０５、ファクシミリユニット部１０８への電源供給が停止される。
【００２３】
そして省電力状態で、外部装置からコントローラ部１０２に対してジョブの受信があった場合、コントローラ部１０２は、省電力状態から通常モードに移行するために電源制御信号１１２により第二の電源１１０からの電源供給をオンにする。これにより第二の電源１１０からスキャナ部１０４、プリンタ部１０５、ファクシミリユニット部１０８への電源供給が開始される。尚、省電力状態では、第一の電源１０９からコントローラ部１０２への電源供給は継続して実行されている。
【００２４】
図３は、実施形態に係る複合機１０１のコントローラ部１０２とファクシミリユニット部１０８の構成をより詳細に説明するブロック図である。
【００２５】
コントローラ部１０２の画像処理部３０１は、内部に制御用のＣＰＵ３３０、ＣＰＵ３３０により実行されるプログラム等を記憶しているＲＯＭ３３１、ワークメモリであるＲＡＭ３３２、タイマ３３３、画像処理回路、各種Ｉ／Ｆ回路等を有する。ＣＰＵ３３３０は、コピー、プリント、ファクシミリ、スキャン等の各種処理モードに従って、それぞれ対象となるユニットに応じたデータのやり取り、制御を行い、所望の画像処理や制御を実行する。ＣＰＵ３３０は、ＲＯＭ３３１、或いは後述するＨＤＤ３２０から制御プログラムをＲＡＭ３３２へ展開してそれを実行することにより複合機１０１を制御する。
【００２６】
ＨＤＤ（ハードディスクドライブ）３２０は、複合機１０１の制御プログラムや画像データの保存領域として利用される。ファクシミリ受信時、受信した画像データはＨＤＤ３２０に保存される。またナンバーディスプレイ機能で取得した電話番号を用いたファクシミリ転送条件もＨＤＤ３２０に保存される。またＨＤＤ３２０に、予め受信画像用の保存領域（受信画像ＢＯＸ）を複数設定しておき、モデムダイヤルイン機能で取得した電話番号を用いて、着信番号毎に領域１（ＢＯＸ１）、或いは領域２（ＢＯＸ２）に保存することもできる。
【００２７】
スキャナＩ／Ｆ３０２、プリンタＩ／Ｆ３０３は、それぞれ、スキャナ部２０３とプリンタ部２０４と、画像処理部３０１とを接続するためのＩ／Ｆである。ＬＡＮコントローラ３０４は、イーサネットケーブル１０７経由でＬＡＮに接続され、ＬＡＮを介して外部装置と通信する。
【００２８】
ＣＡＲ整形部３１３は、電話回線１０６を介して着信した、交流７５Ｖで１６Ｈｚ程度のファクシミリの呼出信号や、ナンバーディスプレイのＣＡＲ信号を絶縁して、通常のデジタル回路で受信できるよう電圧変換している。ＣＡＲ整形信号３０６は、ＣＡＲ整形部３１３で電圧変換した信号である。このＣＡＲ整形部３１３は、ＣＡＲに限らず、着信時の呼出信号（ＣＩ信号を含む）の変換も行っている。またＣＡＲ整形信号３０６は、ＣＡＲに限らず、着信時の呼出信号（ＣＩ信号を含む）を変換した信号も含んでいる。ＣＡＲ整形部３１３は、例えばフォトカプラやＩＣで構成することができ、例えば図４及び図５に示すように、呼出信号やＣＡＲの交流信号が送出されている時に、矩形波のＣＡＲ整形信号３０６を出力する。
【００２９】
図４及び図５は、実施形態に係る呼出信号や着信端末の起動信号に対するＣＡＲ整形信号を説明する図である。
【００３０】
図４（Ａ）は、電話会社とナンバーディスプレイ契約をしていないときのＣＡＲ整形信号の一例を示す。ここでは着信時に、電話回線１０６に通常の呼出信号が、１秒オン、２秒オフを１周期として送出され、これに連動してＣＡＲ整形信号３０６が変化する。交換機は、通常の呼出信号を送出する前に直流４８Ｖの極性を反転する。交換機はオン時間の間、通常７５Ｖｒｍｓで１６Ｈｚの交流信号を直流４８Ｖに重畳して送出する。交換機はオフ時間の間、直流４８Ｖを維持する。ＣＡＲ整形部３１３が全波整流を行う回路を使用していると、図４（Ａ）のように、呼出信号に連動してＣＡＲ整形信号３０６が１秒オン、２秒オフとなる。
【００３１】
図４（Ｂ）は、電話会社とナンバーディスプレイ契約をしているときのＣＡＲ整形信号の一例を示す。電話会社とナンバーディスプレイ契約をしている場合は、着信時に、交換機は着信端末の起動信号を送出する前に、直流４８Ｖの極性を反転し、図４（Ｂ）のように着信端末の起動信号（以後ＣＡＲと呼ぶことがある）を送出する。その後、着信端末が一次応答すると番号情報を送出する。そして、着信端末が番号情報を受信した事を示す直流ループ断を行うと、図４（Ａ）に示すのと同様の呼出信号が送出される。そして、着信端末が再度回線を捕捉すると相手と通信できる。
【００３２】
通常の呼出信号は、図４（Ａ）のように送出されるオン時間が１秒、オフ時間が２秒である。これに対して図４（Ｂ）の着信端末の起動信号（ＣＡＲ）は、送出されるオン時間がａ＝０．４〜０．６秒、オフ時間がｂ＝０．４〜０．６秒、ａとｂとを合わせたｃ＝１秒である。このように、着信端末の起動信号（ＣＡＲ）と通常の呼出信号は、送出されるオン時間とオフ時間が互いに異なるため区別できる。図４（Ｂ）は、ＣＡＲ整形部３１３が全波整流を行う回路を使用している場合を示している。そして、着信端末の起動信号に対応する呼出信号の０．４〜０．６秒（中間値を取って０．５秒と呼ぶことがある）がオン、０．６〜０．４秒（中間値を取って０．５秒と呼ぶことがある）のオフに連動してＣＡＲ整形信号３０６が生成される。
【００３３】
図４（Ｃ）は、電話会社とナンバーディスプレイ契約をしているが、着信端末がナンバーディスプレイ非対応の場合を示す。交換機から最初にＣＡＲが最大６秒間送出され、６秒以内に着信側が一次応答しないと、図４（Ｃ）のようにナンバーディスプレイ非対応端末とみなされて、その後、通常の呼出信号が送出される。
【００３４】
また図５（Ａ）は、電話会社とナンバーディスプレイ契約をしていないとき、ＣＡＲ整形部３１３が半波整流を行う回路を使用している場合を示している。この場合は、呼出信号に対して１秒オンの間はハイレベルの信号を半分間引いたＣＡＲ整形信号３０６が出力され、２秒オフの間はロウレベルを維持する。図５（Ａ）は、例えば図４（Ａ）の呼出信号が１秒オンの間を拡大して示している。
【００３５】
また図５（Ｂ）は、電話会社とナンバーディスプレイ契約をしていて、ＣＡＲ整形部３１３が半波整流を行う回路を使用している場合を示している。この場合は、着信端末の起動信号（ＣＡＲ）に対して中間値を取って０．５秒のオンの間はハイレベルの信号を半分間引いたＣＡＲ整形信号３０６が出力され、中間値を取って０．５秒オフの間はロウレベルを維持する。図５（Ａ）は、例えば図４（Ｂ）の着信端末の起動信号（ＣＡＲ）が送出されるオン時間がａ＝０．４〜０．６秒の間を拡大して示している。
【００３６】
モデム３０５は、電話回線１０６を介して相手機とファクシミリ通信を行うモデムで、第二の電源１１０がオンされている時に、画像処理部３０１のＣＰＵ３３０により制御される。モデム３０５と画像処理部３０１は、画像処理部＿モデム間Ｉ／Ｆ３１５を介して接続され、画像処理部＿モデム間Ｉ／Ｆ３１５は、シリアルバス或いはパラレルバスを用いる。モデム３０５は、ファクシミリ信号の変調、復調を行うとともに、画像データの送信、受信、トーン検出、ＤＴＭＦ検出を行う。電話回線１０６の一次側にはＳＤＡＡ３０７（Ｓｉｌｉｃｏｎ  Ｄａｔａ  Ａｃｃｅｓｓ  Ａｒｒａｎｇｅｍｅｎｔ）と呼ばれるＡ／Ｄ、Ｄ／Ａ変換を行う半導体を配置して、かつトランジスタを制御することにより直流捕捉を行う。Ａ／Ｄはアナログデジタル変換、Ｄ／Ａはデジタルアナログ変換の略である。そして一次側と二次側の間にインダクタ或いはコンデンサで形成される絶縁回路３１１を配置して、モデム３０５とＳＤＡＡ３０７間の絶縁及び信号伝達を行う。またＳＤＡＡ３０７と絶縁回路３１１の代わりに、電話回線の一次と二次をトランスで絶縁して音声帯域の信号を伝達し、電話回線の直流捕捉をＣＭＬ（Ｃｏｎｎｅｃｔ  Ｍｏｄｅｍ  to Ｌｉｎｅ）リレー制御で行う回路構成を採ることも可能である。
【００３７】
状態通知信号３０９は、画像処理部３０１がモデム３０５を制御してファクシミリの送受信ができる通常モード状態に復帰したことを割込み判定部３１０に通知する信号である。状態通知信号３０９がハイレベルであれば通常モードで動作できる状態、状態通知信号３０９がロウレベルであれば、画像処理部３０１が省電力状態、或いは、省電力状態からの復帰中であることを示している。
【００３８】
割込み判定部３１０は、状態通知信号３０９がロウレベル（省電力状態）の時に、ＣＡＲ整形信号３０６の信号変化が通知されると、電源制御信号１１２を制御して第二の電源１１０をオンさせる。これにより、電話回線１０６から着信があると直ぐに第二の電源１１０をオンさせることができる。一旦、第二の電源１１０がオンになると、その後、ＣＡＲ整形信号３０６がハイレベル、ロウレベルを繰り返しても割込み判定部３１０は無視して電源制御信号１１２の状態を維持する。その後、画像処理部３０１のＣＰＵ３３０が状態通知信号３０９をハイレベル（通常状態）にした後、再度ロウレベル（省電力状態）に移行するまで、ＣＡＲ整形信号３０６を割込み起動要因としては扱わない。割込み判定部３１０は、状態通知信号３０９がハイレベル（通常状態）であれば、電源制御信号１１２を制御せず以前の状態を維持する。
【００３９】
モード格納部３０８は、第一の電源１０９がオンの時に動作し、画像処理部３０１のＣＰＵ３３０から書き込みが行われることにより、この複合機１０１の動作モードを示すモード情報を記憶する。画像処理部３０１が省電力状態から復帰する際、ＣＰＵ３３０がモード格納部３０８に格納されたモード情報を読み出すことで、ナンバーディスプレイ、モデムダイヤルイン機能が有効か、無効かを判定して、それに応じた処理を実行できる。
【００４０】
尚、本実施形態では、少なくとも画像処理部３０１に供給される電源は第二の電源１１０から供給され、省電力状態では画像処理部３０１は電源断もしくは復帰トリガを受信可能なごく一部のみの通電状態となる。
【００４１】
ＣＡＲ整形信号受信部３１７は、第二の電源１１０がオンされている時に動作し、画像処理部＿ＣＡＲ整形信号受信部間Ｉ／Ｆ３１２を介して接続されている。ＣＡＲ整形信号受信部３１７は、ＧＰＩＯ（General Purpose Input Output）機能を持つＩＣやＬＳＩを利用して製造できる。ＣＰＵ３３０は、ＣＡＲ整形部３１３からＣＡＲ整形信号受信部３１７に入力されるＣＡＲ整形信号３０６をリードして、電話回線１０６に出力される信号の周波数やケーデンスのオン、オフ時間を判定できる。またＣＰＵ３３０は、ＣＡＲ整形信号受信部３１７のＧＰＩＯの出力ポートを制御して、ＣＡＲ整形信号受信部３１７からモデム３０５に出力するモデムリセット信号３１４を制御する。これにより、モデム３０５のリセット及びリセット解除を制御する。画像処理部＿ＣＡＲ整形信号受信部間Ｉ／Ｆ３１２には、シリアルバス或いはパラレルバスを利用することができる。
【００４２】
次に、ナンバーディスプレイで取得する電話番号を基に転送する機能を複合機１０１で有効に設定した場合、省電力状態へ移行する時の画像処理部３０１のＣＰＵ３３０が行う制御手順を図６のフローチャートを参照して説明する。
【００４３】
図６は、実施形態に係る複合機１０１の画像処理部３０１のＣＰＵ３３０と割込み判定部３１０による省電力状態へ移行する際の処理を説明するフローチャートである。
【００４４】
通常動作時には、第二の電源１１０からも電源が供給され、コントローラ部１０２、及びファクシミリユニット部１０８の全ての部分に通電されている。
【００４５】
先ずＳ６０１でＣＰＵ３３０は、所定時間以上、複合機１０１へのアクセスやジョブなどの処理が発生していないかを判定する。ここでアクセスやジョブが発生している場合はＳ６０１に戻るが、アクセスやジョブが発生していない場合は省電力状態への移行条件を満足したとしてＳ６０２に進む。Ｓ６０２でＣＰＵ３３０は、モード格納部３０８にファクシミリの待ち受けモードを保存する。このとき、ナンバーディスプレイやモデムダイヤルインといった応答時間に制約のある待ち受けモードが有効か無効かも保存する。
【００４６】
次にＳ６０３に進みＣＰＵ３３０は、モデム３０５、ＣＡＲ整形信号受信部３１７、ＨＤＤ３２０、プリンタ部２０３、スキャナ部２０３、操作部２０２の動作を停止させる。尚、このとき、例えば操作部２０２の一部のボタンを通電したままにして、そのボタンの押下を省電力状態からの復帰要因としても良い。またこのとき、ソフトウエアの設定を不揮発メモリや、省電力状態でもバックアップされている領域へ退避する。そしてＣＰＵ３３０は、状態通知信号３０９がロウレベルにして割込み判定部３１０に省電力状態に移行するように指示する。その後、画像処理部３０１のＣＰＵ３３０は動作を停止するので、以後は画像処理部３０１の処理フローとして説明する。
【００４７】
これによりＳ６０４で、割込み判定部３１０は、状態通知信号３０９がロウレベルになったことにより省電力状態になったことを検知し、電源制御信号１１２を制御し第二の電源１１０をオフする。そしてＳ６０５に進み、省電力状態への移行を完了して、この処理を終了する。
【００４８】
次に、ナンバーディスプレイのＣＡＲ信号で複合機１０１が省電力状態から復帰する際、画像処理部３０１のＣＰＵ３３０と割込み判定部３１０が行う制御手順を図７及び図８のフローチャートを参照して説明する。
【００４９】
図７及び図８は、実施形態に係る複合機１０１が省電力状態の時に着信があった場合のＣＰＵ３３０と割込み判定部３１０による処理を説明するフローチャートである。
【００５０】
Ｓ７０１で割込み判定部３１０は、ＣＡＲ整形信号３０６がロウレベルからハイレベルへ変化したか、即ち、着信があったかどうかを判定する。ＣＡＲ整形信号３０６の変化が無いと判定した場合はＳ７０１へ戻る。ＣＡＲ整形信号３０６がロウレベルからハイレベルへ変化したと判定した場合はＳ７０２へ処理を進める。Ｓ７０２で割込み判定部３１０は、電源制御信号１１２をオフからオンに変更して第二の電源１１０をオンにし、省電力状態から通常モードに復帰させる。次にＳ７０３へ進みＣＰＵ３３０は、画像処理部３０１の初期化が完了したかどうか判定する。第二の電源１１０がオンされると画像処理部３０１のＣＰＵ３３０は、複合機１０１の動作に必要となる各種機能を初期化する。そしてＣＰＵ３３０は、この初期化の際、モード格納部３０８に格納されたモード情報を読み出して、ファクシミリユニット部１０８が、ナンバーディスプレイやモデムダイヤルインを使用するかしないかを知ることができる。本実施形態では、ファクシミリユニット部１０８で、ナンバーディスプレイを使用する設定がされているとして説明する。また本実施形態では、画像処理部３０１の初期化には、約３秒必要とする。こうしてＳ７０３でＣＰＵ３３３０は、画像処理部３０１の初期化が完了したと判定すると、状態通知信号３０９をハイレベル（通常状態）に戻した後でＳ７０４へ処理を進める。そうでなければ、画像処理部３０１の初期化が完了するまでＳ７０３を実行する。
【００５１】
Ｓ７０４でＣＰＵ３３０は、ＣＡＲ整形信号受信部３１７の初期化が完了したか否か判定する。上述のＳ７０３で画像処理部３０１の初期化が完了すると、ＣＰＵ３３０はファクシミリユニット部１０８を制御する前にＣＡＲ整形信号受信部３１７を初期化する。これは、ＣＡＲ整形部３１３から入力されるＣＡＲ整形信号３０６をリードするためにＣＡＲ整形信号受信部３１７の初期化が必要となるためである。またモデム３０５のリセットとリセット解除を行うために、モデム３０５の初期化前にＣＡＲ整形信号受信部３１７の初期化が必要となる。本実施形態では、このＣＡＲ整形信号受信部３１７の初期化に、約０．０１秒必要とする。こうしてＳ７０４でＣＡＲ整形信号受信部３１７の初期化が完了したと判定するとＳ７０５へ進むが、完了していないときはＳ７０４を実行する。こうしてＳ７０４が完了した時点では、信号を受信できる通常状態に復帰した後、約３．５秒が経過したことになる。
【００５２】
Ｓ７０５でＣＰＵ３３０は、モデム３０５の初期化をキックして開始する。モデム３０５は、モデム３０５へ電源を供給しただけでは動作はできない。ＣＰＵ３３０は、画像処理部＿モデム間Ｉ／Ｆ３１５を介してモデム３０５へ回線捕捉のパラメータ設定やコマンドを伝達するが、一度に全ての設定を伝達できないのと、モデム３０５の応答に時間が必要となるため、この処理は即座には終了しない。尚、本実施形態では、モデム３０５の初期化に約２．２秒必要とする。そのためモデム３０５の初期化と並行して次の処理を行うためＳ７０６へ移行する。
【００５３】
Ｓ７０６でＣＰＵ３３０は、ＣＡＲ整形信号受信部３１７の状態をリードして、デム３０５の初期化と並行してＣＡＲ判定を開始する。交換機から電話回線へ送出される呼出信号に対して、全波整流する回路では図４（Ａ）（Ｂ）（Ｃ）に示すようなＣＡＲ整形信号３０６がＣＡＲ整形信号受信部３１７へ入力される。ＣＰＵ３３３０は、そのＣＡＲ整形信号３０６のオン時間とオフ時間の周期の違いにより、例えば図４（Ｂ）のナンバーディスプレイ契約時のＣＡＲか、例えば図４（Ａ）の通常の呼出信号かを判定できる。また電話回線の呼出号に対して、半波整流する回路では図５（Ａ）（Ｂ）に示すようなＣＡＲ整形信号３０６がＣＡＲ整形信号受信部３１７へ入力される。この場合も、１周期の内、パルス状に駆動されている区間をオン時間、オフ時間の周期の違いにより、例えば図５（Ｂ）に示すＣＡＲか、図５（Ａ）に示す通常の呼出信号かを判定することができる。図５（Ａ）の場合、ＣＡＲ信号は中間値をとって０．５秒オン、０．５秒オフの信号であるため、判定を開始するタイミングにもよるが、１セット周期のＣＡＲを正しく判定するのに約２秒必要となる。また後のＳ７０８，Ｓ７１０で行うタイムアウト判定のため、画像処理部３０１の内のタイマ３３３による計時を開始する。
【００５４】
次にＳ７０７に進みＣＰＵ３３０は、交換機からＣＡＲが送出されたかを判定する。このＳ７０７のＣＡＲ判定と、Ｓ７０５から継続して実施しているモデム３０５の初期化を並行して実施することにより、ＣＡＲに対する応答時間を短縮できる。Ｓ７０７でＣＡＲを受信したと判定するとＳ７０９へ処理を進めるが、そうでなければＳ７０８へ進む。Ｓ７０８でＣＰＵ３３０は、タイマ３３３によるタイムアウトが発生してＣＡＲ判定待ち処理がタイムアウトしたか否かを判定する。前述したように、ＣＡＲは６秒間しか送出されないため、このタイムアウト処理を設けている。Ｓ７０８でＣＰＵ３３０が、Ｓ７０７で繰り返し行うＣＡＲ判定待ち処理がタイムアウトしたかを判定し、タイムアウトと判定するとＳ７１３に進んでタイムアウト処理を行い、一連の受信処理を終了させてスタンバイ状態へ移行する。一方、タイムアウトでないときはＳ７０７へ戻る。
【００５５】
ＣＡＲを受信するとＳ７０９でＣＰＵ３３０は、キックしたモデム３０５の初期化処理が完了したかどうかを判定する。そしてモデム３０５の初期化が完了したときはＳ７１０に進むが、そうでないときはＳ７０９へ戻る。Ｓ７１０でＣＰＵ３３０は、モデム３０５の初期化待ち処理がタイムアウトしたかを判定する。ここではＣＰＵ３３０は、Ｓ７０６で計時を開始したタイマ３３３により、モデム３０５の初期化待ち処理がタイムアウトしたかを判定する。これは交換機からＣＡＲは６秒しか送出されないため、タイムアウト期間を５．９秒として、６秒以下に設定することもできる。ここでタイムアウトと判定した場合はＳ７１３に進むが、そうでないときはＳ７１１へ進む。
【００５６】
Ｓ７１１でＣＰＵ３３０は、モデム３０５を制御して回線の捕捉を行って一次応答する。実施形態では、約５．２１秒で一次応答できる。そしてＳ７１２に進みＣＰＵ３３０は、モデム３０５を制御して、交換機から送出される番号情報を受信してＲＡＭ３３２に保存する。
【００５７】
以上の処理で、ナンバーディスプレイ契約の複合機１０１が省電力状態のときに着信があった場合でも、画像処理部及びモデムの初期化を行いながら、交換機から送信されるＣＡＲを受信して番号情報を受け取ることができる。
【００５８】
次に図８のＳ８０１に進みＣＰＵ３３０は、番号情報に対する受信応答を返すために、モデム３０５を制御して回線の開放を行う。そしてＳ８０２に進みＣＰＵ３３０は、ＣＡＲ整形信号受信部３１７の状態をリードしてＣＩ（通常の呼出信号）の受信判定処理を開始する。また後のＳ８０４で行うタイムアウト判定のため、画像処理部３０１のタイマ３３３による計時を開始する。そしてＳ８０３へ進みＣＰＵ３３０は、交換機からＣＩを受信したかどうかを判定する。ＣＩを受信したと判定した場合はＳ８０５に進み、そうでないときはＳ８０４へ進む。Ｓ８０４でＣＰＵ３３０は、ＣＩ判定待ち処理がタイムアウトしたかを判定する。送信側が呼出を継続する間、交換機からＣＩが送出され続けるが、送信側が呼出を途中で中止するとＣＩは停止するので、このタイムアウト処理を設けている。ＣＰＵ３３０が、Ｓ８０２で計時を開始した場合、タイムアウト期限を６秒にする事もできる。Ｓ８０４でタイムアウトしたと判定した場合はＳ７１３（図７）に進むが、そうでないときはＳ８０３に戻る。ＣＩが送出されたと判定したときはＳ８０５でＣＰＵ３３０は、モデム３０５を制御して回線の捕捉を行ってファクシミリの受信処理を行う。そしてファクシミリ受信が終了すると、受信した画像データをＨＤＤ３２０に保存して回線を開放する。そしてＳ８０６に進みＣＰＵ３３０は、番号情報を用いた処理を実施する。ここでは例えば、ナンバーディスプレイ機能で取得した番号情報がファクシミリ転送条件に合致した場合、ＣＰＵ３３０は受信画像の転送処理を行う。また或いは、番号情報に応じてモデムダイヤルイン機能による受信画像ＢＯＸの振り分けが設定されている場合は、その受信した番号情報に応じて、領域１或いは領域２に振り分けて管理する。こうしてＣＰＵ３３０は、一連の受信処理を終了するとスタンバイ状態へ移行する。
【００５９】
以上説明した処理に基づいて、省電力状態の時にナンバーディスプレイ着信があった際のタイムチャートを作成すると図２となる。
【００６０】
図２は、実施形態に係る複合機１０１が省電力状態の時にナンバーディスプレイ着信があった際の処理を説明するタイムチャートである。
【００６１】
図２のタイミングＴ１で、ＣＡＲ整形信号３０６がロウレベルからハイレベルに変化すると、割込み判定部３１０は第二の電源１１０をオフからオンにして、第二の電源１１０からの電源供給を開始させる。本実施形態では、画像処理部３０１の初期化は高速化されており、約３秒で終了する。タイミングＴ２で画像処理部３０１の初期化が終了すると、画像処理部３０１のＣＰＵ３３０は、モデム３０５の初期化を開始し、それと同時にＣＡＲ判定を開始して、これらの処理を並行して行う。そしてＣＰＵ３３０が、ＣＡＲ整形信号受信部３１７の状態をリードし、タイミングＴ３で、交換機からＣＡＲを受信したと判定すると、モデム３０５の初期化が終了した後、一次応答を行う。そしてＣＰＵ３３０は、タイミングＴ４で番号情報を受信した後、回線を開放する。その後、ＣＰＵ３３０は、タイミングＴ５からＣＩ判定を開始する。そしてＣＰＵ３３０が、ＣＡＲ整形信号受信部３１７の状態をリードして、交換機からＣＩが送出されていると判定すると、タイミングＴ６で回線捕捉（二次応答）を行ってファクシミリの受信を開始する。
【００６２】
尚、上述の実施形態では、ナンバーディスプレイ機能を例に説明したが、モデムダイヤルインでも同様に処理することができる。
【００６３】
以上説明したように本実施形態によれば、省電力状態であっても、ナンバーディスプレイやモデムダイヤルインのＣＡＲ信号に対して規定時間内に一次応答を返すことができるため、通知される番号情報を用いた処理を行うことができる。
【００６４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６５】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００６６】
１０１…複合機、１０２…コントローラ部、１０３…操作部、１０９…第一の電源、１１０…第二の電源、１１２…電源制御信号、３０１…画像処理部、３０５…モデム、３０６…ＣＡＲ整形信号、３１０…割込み判定部、３１３…ＣＡＲ整形部、３１７…ＣＡＲ整形信号受信部
【図１】
2018098708.tif 000003
【図２】
2018098708.tif 000004
【図３】
2018098708.tif 000005
【図４】
2018098708.tif 000006
【図５】
2018098708.tif 000007
【図６】
2018098708.tif 000008
【図７】
2018098708.tif 000009
【図８】
2018098708.tif 000010